(57)【要約】【課題】  一の形式でフォーマットした記録媒体に記録した所定の情報を、他の形式で再フォーマットした同一の記録媒体に記録し直す「フォーマット変換処理」を、複雑な操作を要することなく短時間で自動的に行うことができる情報記録装置を提供する。【解決手段】  ニ以上の異なる形式でフォーマット可能なＦＤ１０（記録媒体）に所定の情報を記録する情報記録装置１において、所定の情報を一時保存するためのＨＤ１２（情報保存用記録媒体）と、一の形式でフォーマットしたＦＤ１０に記録した情報を読み出してＨＤ１２に一時保存した後、他の形式でＦＤ１０を再フォーマットし、ＨＤ１２に一時保存した情報を読み出して再フォーマットしたＦＤ１０に記録する制御部１９（情報保存手段、初期化手段、情報記録手段）と、を備える。【選択図】        図１
2005302089.tif 000002
【特許請求の範囲】
【請求項１】
ニ以上の異なる形式で初期化可能な記録媒体に所定の情報を記録する情報記録装置において、
所定の情報を一時保存するための情報保存用記録媒体と、
一の形式で初期化した前記記録媒体に記録した情報を読み出して、前記情報保存用記録媒体に一時保存する情報保存手段と、
一の形式で初期化した前記記録媒体に記録した情報を前記情報保存用記録媒体に一時保存した後、前記記録媒体を他の形式で初期化する初期化手段と、
前記情報保存用記録媒体に一時保存した情報を読み出して、他の形式で初期化した前記記録媒体に記録する情報記録手段と、
を備えることを特徴とする情報記録装置。
【請求項２】
前記情報保存用記録媒体に一時保存した情報の形式を変換する保存情報変換手段を備えることを特徴とする請求項１に記載の情報記録装置。
【請求項３】
前記記録媒体内の情報を前記情報保存手段で読み出して前記情報保存用記録媒体に一時保存する際に、その一時保存する情報の形式を変換する読出情報変換手段を備えることを特徴とする請求項１に記載の情報記録装置。
【請求項４】
前記情報保存用記録媒体内の情報を前記情報記録手段で読み出して前記記録媒体に記録する際に、その記録する情報の形式を変換する記録情報変換手段を備えることを特徴とする請求項１に記載の情報記録装置。
【請求項５】
前記情報保存用記録媒体に一時保存された情報を、前記情報記録手段で読み出して前記記録媒体に記録した後に消去する情報消去手段を備えることを特徴とする請求項１から４の何れか一項に記載の情報記録装置。
【発明の詳細な説明】
【技術分野】
【０００１】
本発明は、情報記録装置に関する。
【背景技術】
【０００２】
現在、フロッピー（Ｒ）ディスク（以下「ＦＤ」という）、ＨＤ、ＭＤ、ＣＤ、ＤＶＤ等の記録媒体に所定の情報を記録する技術が提案され、実用化されている（例えば、特許文献１参照。）。前記したような記録媒体を使用する際には、記録媒体の記録領域を複数の小さな記録単位に区分けする初期化（フォーマット）処理を行う必要がある。
【０００３】
ところで、記録媒体の中には、異なる二以上の形式でフォーマット可能なものがある。例えば、２ＨＤのＦＤは、１．４４ＭＢ型と１．２ＭＢ型との二つの形式でフォーマットされる。このように異なる二以上の形式でフォーマット可能な記録媒体を用いると、一の形式でフォーマットした記録媒体に記録した所定の情報を、他の形式で再フォーマットした同一の記録媒体に記録し直す処理（以下「フォーマット変換処理」という）が可能となる。
【０００４】
例えば、１．２ＭＢ型フォーマットのＦＤにビットマップ形式の画像情報が記録されているような場合には、ＦＤを１．４４ＭＢ型に再フォーマットするとともに画像情報をＪＰＥＧ形式に変換して圧縮し、再フォーマットしたＦＤにＪＰＥＧ形式の画像情報を記録し直すことができる。かかるフォーマット変換処理を行うことにより、画像情報を効率良く記録することができる。
【特許文献１】特開２００３−８５９４４号公報（第１頁、第１図）
【発明の開示】
【発明が解決しようとする課題】
【０００５】
従来は、前記したようなフォーマット変換処理（１．２ＭＢ型フォーマットのＦＤに記録したビットマップ形式の画像情報を、１．４４ＭＢ型に再フォーマットしたＦＤにＪＰＥＧ形式で記録し直す処理）を行う場合に、以下のような各工程を経ていた。
【０００６】
（１）１．２ＭＢ型フォーマットのＦＤに記録したビットマップ形式の画像情報を、ＨＤ等の他の記録媒体に記録する。（２）１．２ＭＢ型フォーマットのＦＤを１．４４ＭＢ型に再フォーマットするとともに、ＨＤ等に記録したビットマップ形式の画像情報をＪＰＥＧ形式の画像情報に変換する。（３）ＨＤ等に記録したＪＰＥＧ形式の画像情報を、１．４４ＭＢ型に再フォーマットしたＦＤに記録し直す。（４）ＨＤ等に記録したＪＰＥＧ形式の画像情報を消去し、要すれば、画像情報を管理するための管理情報ファイル（例えばサムネイル表示用のインデックスファイル）を作成し、ＦＤに記録する。
【０００７】
しかし、従来は、以上のような各工程をユーザが手作業で実施しており、一の工程を終える度にユーザの操作が必要となるため、全工程を終えるのに比較的長い時間と労力を要するという問題があった。また、ユーザが所定の操作部を操作して前記各工程を実施するため、ユーザの誤操作により貴重な情報を消去してしまうおそれがある。
【０００８】
本発明の課題は、一の形式でフォーマットした記録媒体に記録した所定の情報を、他の形式で再フォーマットした同一の記録媒体に記録し直す「フォーマット変換処理」を、複雑な操作を要することなく短時間で自動的に行うことができる情報記録装置を提供することである。
【課題を解決するための手段】
【０００９】
以上の課題を解決するために、請求項１に記載の発明は、
ニ以上の異なる形式で初期化可能な記録媒体に所定の情報を記録する情報記録装置において、
所定の情報を一時保存するための情報保存用記録媒体と、
一の形式で初期化した前記記録媒体に記録した情報を読み出して、前記情報保存用記録媒体に一時保存する情報保存手段と、
一の形式で初期化した前記記録媒体に記録した情報を前記情報保存用記録媒体に一時保存した後、前記記録媒体を他の形式で初期化する初期化手段と、
前記情報保存用記録媒体に一時保存した情報を読み出して、他の形式で初期化した前記記録媒体に記録する情報記録手段と、
を備えることを特徴とする。
【００１０】
請求項２に記載の発明は、請求項１に記載の情報記録装置において、
前記情報保存用記録媒体に一時保存した情報の形式を変換する保存情報変換手段を備えることを特徴とする。
【００１１】
請求項３に記載の発明は、請求項１に記載の情報記録装置において、
前記記録媒体内の情報を前記情報保存手段で読み出して前記情報保存用記録媒体に一時保存する際に、その一時保存する情報の形式を変換する読出情報変換手段を備えることを特徴とする。
【００１２】
請求項４に記載の発明は、請求項１に記載の情報記録装置において、
前記情報保存用記録媒体内の情報を前記情報記録手段で読み出して前記記録媒体に記録する際に、その記録する情報の形式を変換する記録情報変換手段を備えることを特徴とする。
【００１３】
請求項５に記載の発明は、請求項１から４の何れか一項に記載の情報記録装置において、
前記情報保存用記録媒体に一時保存した情報を、前記情報記録手段で読み出して前記記録媒体に記録した後に消去する情報消去手段を備えることを特徴とする。
【発明の効果】
【００１４】
本発明によれば、一の形式でフォーマットした記録媒体に記録した所定の情報を、他の形式で再フォーマットした同一の記録媒体に記録し直す「フォーマット変換処理」を、複雑な操作を要することなく短時間で自動的に行うことができる。
【発明を実施するための最良の形態】
【００１５】
[第１の実施の形態]
以下、本発明の第１の実施の形態に係る情報記録装置を、図を用いて詳細に説明する。なお、本実施の形態においては、１．２ＭＢ型フォーマットのＦＤに記録したビットマップ形式の画像情報を、１．４４ＭＢ型に再フォーマットしたＦＤにＪＰＥＧ形式で自動的に記録し直す「自動フォーマット変換処理」を行う情報記録装置を例示して説明することとする。ここで、「画像情報」には、静止画像情報と動画像情報との双方が含まれるものとする。
【００１６】
まず、図１及び図２を用いて、本実施の形態に係る情報記録装置１の機能的構成について説明する。情報記録装置１は、図１に示すように、メモリ１１、ＨＤ１２、ＨＤＤ１３、ＨＤＤコントローラ１４、ＦＤＤ１５、ＦＤＤコントローラ１６、操作部１７、表示部１８、制御部１９等を備えて構成されており、ニつの異なる形式（１．２ＭＢ型、１．４４ＭＢ型）でフォーマット可能なＦＤ１０に所定の情報を記録するものである。なお、ＦＤ１０は本発明における記録媒体である。
【００１７】
メモリ１１は、制御部１９により実行される各種制御プログラムや、制御に使用される各種データ等を記録するものであり、読出自在で書替不能な記録媒体であるＲＯＭや、読み書き自在な記録媒体であるＲＡＭ等から構成されている。
【００１８】
メモリ１１には、図２に示すように、ＦＤ１０に記録した情報を読み出してＨＤ１２に一時保存するための情報保存プログラム１１ａ、一の形式（例えば１．２ＭＢ型）でフォーマットしたＦＤ１０を他の形式（例えば１．４４ＭＢ型）に再フォーマットするための初期化プログラム１１ｂ、ＨＤ１２に一時保存した情報の形式を変換するための保存情報変換プログラム１１ｃ、ＨＤ１２に一時保存した情報を読み出してＦＤ１０に記録するための情報記録プログラム１１ｄ、画像情報を管理する管理情報ファイルを作成するための管理情報作成プログラム１１ｅ、ＨＤ１２に一時保存した情報を消去するための情報消去プログラム１１ｆ、等が記録されている。
【００１９】
ＨＤ１２は、ＦＤ１０から読み出した情報を一時保存するためのものであり、本発明における情報保存用記録媒体として機能する。ＨＤＤ１３は、ＨＤ１２を駆動するためのモータや、ＨＤ１２のトラックやセクタを走査して情報の読み出し・書き込みを行うためのヘッド等を備えている。なお、モータやヘッドについては図示を省略している。ＨＤＤコントローラ１４は、制御部１９による制御に基づいてＨＤＤ１３のモータを駆動制御することによりＨＤ１２を回転させ、ＨＤ１２のフォーマット、ＨＤ１２内の情報の読み出し、ＨＤ１２への情報の書き込み等を行うものである。
【００２０】
ＦＤＤ１５は、ＦＤ１０を駆動するためのモータや、ＦＤ１０のトラックやセクタを走査して情報の読み出しや書き込みを行うためのヘッド等を備えている。なお、モータやヘッドについては図示を省略している。ＦＤＤコントローラ１６は、制御部１１による制御に基づいてＦＤＤ１５のモータを駆動制御することによりＦＤ１０を回転させ、ＦＤ１０のフォーマット、ＦＤ１０内の情報の読み出し、ＦＤ１０への情報の書き込み等を行うものである。
【００２１】
操作部１７は、キーボード・テンキー等の各種入力キーや、マウス・タッチパネル等の各種ポインティングデバイスを備え、ユーザによって操作されることにより各種指示入力やデータ入力を行うものである。表示部１８は、操作部１７の各種キーにより入力された入力情報、ＨＤ１２に係る情報、ＦＤ１０に係る情報、等を表示するものである。表示部１８としては、ＣＲＴディスプレイ、液晶ディスプレイ等を採用することができる。
【００２２】
制御部１９は、情報記録装置１に搭載された各種機器を統合制御するものであり、ＣＰＵ等で構成されている。具体的には、制御部１９は、メモリ１１に記録された情報保存プログラム１１ａを実行することによりＦＤＤコントローラ１６及びＨＤＤコントローラ１４を制御して、ＦＤ１０に記録した情報を読み出して、ＨＤ１２に一時保存する。すなわち、制御部１９は、本発明における情報保存手段として機能する。
【００２３】
また、制御部１９は、一の形式（例えば１．２ＭＢ型）でフォーマットされたＦＤ１０から情報を読み出してＨＤ１２に一時保存した後に、メモリ１１に記録された初期化プログラム１１ｂを実行することによりＦＤＤコントローラ１６を制御して、フォーマットのＦＤ１０を他の形式（例えば１．４４ＭＢ型）で再フォーマットする。すなわち、制御部１９は、本発明における初期化手段としても機能する。
【００２４】
また、制御部１９は、メモリ１１に記録された保存情報変換プログラム１１ｃを実行することによりＨＤＤコントローラ１４を制御して、ＨＤ１２に一時保存した画像情報の形式を（例えばビットマップ形式からＪＰＥＧ形式に）変換する。すなわち、制御部１９は、本発明における保存情報変換手段としても機能する。
【００２５】
また、制御部１９は、メモリ１１に記録された情報記録プログラム１１ｄを実行することによりＨＤＤコントローラ１４及びＦＤＤコントローラ１６を制御して、ＨＤ１２に一時保存した情報を読み出してＦＤ１０に記録する。すなわち、制御部１９は、本発明における情報記録手段としても機能する。
【００２６】
また、制御部１９は、メモリ１１に記録された管理情報作成プログラム１１ｅを実行することにより、ＦＤ１０内の画像情報を管理するための管理情報ファイル（例えばサムネイル表示用のインデックスファイル）を作成するとともに、ＦＤＤコントローラ１６を制御して、作成した管理情報ファイルをＦＤ１０に記録する。
【００２７】
また、制御部１９は、ＨＤ１２に一時保存した情報を読み出してＦＤ１０に記録した後に、メモリ１１に記録された情報消去プログラム１１ｆを実行することによりＨＤＤコントローラ１４を制御して、ＨＤ１２に一時保存した情報を消去する。すなわち、制御部１９は、本発明における情報消去手段としても機能する。
【００２８】
次に、図３を用いて、本実施の形態に係る情報記録装置１の「自動フォーマット変換処理」に係る制御動作について説明する。
【００２９】
最初に、ユーザが、情報記録装置１のＦＤＤ１５に１．２ＭＢフォーマットのＦＤ１０を挿入し、操作部１７の各種入力キー等を用いて「自動フォーマット変換処理」を実現させるための操作を行うと、かかる操作入力信号を受けた情報記録装置１の制御部１９は、「自動フォーマット変換処理」に係る制御を行う。
【００３０】
具体的には、制御部１９は、まずＦＤＤコントローラ１６及びＨＤＤコントローラ１４を制御して、１．２ＭＢ型フォーマットのＦＤ１０に記録したビットマップ形式の画像情報を自動的に読み出し、この読み出した画像情報をＨＤ１２に自動的に一時保存する（情報保存工程：Ｓ１）。
【００３１】
次いで、制御部１９は、ＦＤＤコントローラ１６を制御して、１．２ＭＢ型フォーマットのＦＤ１０を自動的に１．４４ＭＢ型に再フォーマットする（初期化工程：Ｓ２）。また、制御部１９は、ＨＤＤコントローラ１４を制御して、ＨＤ１２に一時保存したビットマップ形式の画像情報を自動的にＪＰＥＧ形式の画像情報に変換する（保存情報変換工程：Ｓ３）。
【００３２】
次いで、制御部１９は、ＨＤＤコントローラ１４及びＦＤＤコントローラ１６を制御して、ＨＤ１２に一時保存したＪＰＥＧ形式の画像情報を自動的に読み出し、この読み出した画像情報を１．４４ＭＢ型フォーマットのＦＤ１０に記録する（情報記録工程：Ｓ４）。
【００３３】
次いで、制御部１９は、ＦＤ１０内のＪＰＥＧ形式の画像情報を管理するための管理情報ファイル（サムネイル表示用のインデックスファイル）を自動的に作成する（管理情報作成工程：Ｓ５）。そして、制御部１９は、ＦＤＤコントローラ１６を制御して、作成した管理情報ファイルをＦＤ１０に記録する。この後、制御部１９は、ＨＤＤコントローラ１４を制御して、ＨＤ１２に一時保存したＪＰＥＧ形式の画像情報を自動的に消去する（情報消去工程：Ｓ６）。
【００３４】
以上説明した実施の形態に係る情報記録装置１においては、一の形式（１．２ＭＢ型）でフォーマットしたＦＤ１０に記録した画像情報を自動的に読み出し、この読み出した情報をＨＤ１２に一時保存することができる。そして、ＦＤ１０を他の形式（１．４４ＭＢ型）で自動的に再フォーマットし、ＨＤ１２に一時保存した画像情報を自動的に読み出し、この読み出した情報を１．４４ＭＢ型フォーマットのＦＤ１０に記録することができる。
【００３５】
従って、１．２ＭＢ型でフォーマットしたＦＤ１０に記録した画像情報を、１．４４ＭＢ型で再フォーマットした同一のＦＤ１０に記録し直す処理（フォーマット変換処理）を、複雑な操作を要することなく短時間で自動的に行うことができる。また、フォーマット変換処理におけるユーザの操作を大幅に低減することができるので、ユーザの誤操作により貴重な情報が消去されるという事態を未然に防ぐことができる。
【００３６】
また、以上説明した実施の形態に係る情報記録装置１においては、ＨＤ１２に一時保存したビットマップ形式の画像情報を、ＪＰＥＧ形式の画像情報に変換して情報量を圧縮した上で、１．４４ＭＢ型フォーマットのＦＤ１０に記録することができる。従って、１．４４ＭＢ型フォーマットのＦＤ１０の全記録容量に占める画像情報の容量を低減することができるので、ＦＤ１０の残りの記録容量を有効に利用することができる。
【００３７】
また、以上説明した実施の形態に係る情報記録装置１においては、ＨＤ１２に一時保存したＪＰＥＧ形式の画像情報を、ＨＤ１２から読み出して１．４４ＭＢ型フォーマットのＦＤ１０に記録した後に、自動的に消去することができる。従って、ＨＤ１２内に画像情報が経時的に蓄積されるのを阻止することができる。
【００３８】
[第２の実施の形態]
次に、図４を用いて、本発明の第２の実施の形態に係る情報記録装置について説明する。本実施の形態に係る情報記録装置は、第１の実施の形態に係る情報記録装置１のメモリ１１内のプログラムを一部変更したものであり、その他の構成については、第１の実施の形態で示した構成と実質的に同一である。従って、本実施の形態においては、変更したプログラムについてのみ説明し、その他の構成については説明を省略する。また、第１の実施の形態と共通する構成については、第１の実施の形態と同一の符号を付して説明することとする。
【００３９】
本実施の形態に係る情報記録装置のメモリ１１には、図４に示すように、第１の実施の形態で用いられた「保存情報変換プログラム１１ｃ」に代えて、ＦＤ１０から読み出した情報の形式をＨＤ１２に一時保存するまでの間に変換する「読出情報変換プログラム１１ｇ」が記録されている。制御部１９がこの「読出情報変換プログラム１１ｇ」を実行することにより、１．２ＭＢ型フォーマットのＦＤ１０から読み出したビットマップ形式の情報を、ＨＤ１２に一時保存するまでの間にＪＰＥＧ形式の画像情報に変換することができる。この場合、制御部１９は本発明における読出情報変換手段として機能する。
【００４０】
次に、図５を用いて、本実施の形態に係る情報記録装置の「自動フォーマット変換処理」に係る制御動作について説明する。
【００４１】
最初に、ユーザが、情報記録装置のＦＤＤ１５に１．２ＭＢフォーマットのＦＤ１０を挿入し、操作部１７の各種入力キー等を用いて「自動フォーマット変換処理」を実現させるための操作を行うと、かかる操作入力信号を受けた情報記録装置の制御部１９は、「自動フォーマット変換処理」に係る制御を行う。
【００４２】
具体的には、制御部１９は、まずＦＤＤコントローラ１６及びＨＤＤコントローラ１４を制御して、１．２ＭＢ型フォーマットのＦＤ１０に記録したビットマップ形式の画像情報を自動的に読み出すとともに、読み出したビットマップ形式の情報をＪＰＥＧ形式の画像情報に変換した上で、ＨＤ１２に一時保存する（情報変換保存工程：Ｓ１１）。
【００４３】
次いで、制御部１９は、ＦＤＤコントローラ１６を制御して、１．２ＭＢ型フォーマットのＦＤ１０を自動的に１．４４ＭＢ型に再フォーマットする（初期化工程：Ｓ１２）。次いで、制御部１９は、ＨＤＤコントローラ１４及びＦＤＤコントローラ１６を制御して、ＨＤ１２に一時保存したＪＰＥＧ形式の画像情報を自動的に読み出し、この読み出した画像情報を１．４４ＭＢ型フォーマットのＦＤ１０に記録する（情報記録工程：Ｓ１３）。
【００４４】
次いで、制御部１９は、ＦＤ１０内のＪＰＥＧ形式の画像情報を管理するための管理情報ファイル（サムネイル表示用のインデックスファイル）を自動的に作成する（管理情報作成工程：Ｓ１４）。そして、制御部１９は、ＦＤＤコントローラ１６を制御して、作成した管理情報ファイルをＦＤ１０に記録する。この後、制御部１９は、ＨＤＤコントローラ１４を制御して、ＨＤ１２に一時保存したＪＰＥＧ形式の画像情報を自動的に消去する（情報消去工程：Ｓ１５）。
【００４５】
以上説明した実施の形態に係る情報記録装置においては、１．２ＭＢ型フォーマットのＦＤ１０に記録したビットマップ形式の画像情報を自動的に読み出すとともに、読み出したビットマップ形式の情報を自動的にＪＰＥＧ形式の画像情報に変換した上で、ＨＤ１２に一時保存することができる。従って、ＨＤ１２内で画像情報の形式を変換する工程（図３：情報変換工程Ｓ３）を省くことができるので、フォーマット変換処理に要する時間を一層短縮することができる。
【００４６】
[第３の実施の形態]
次に、図６を用いて、本発明の第３の実施の形態に係る情報記録装置について説明する。本実施の形態に係る情報記録装置は、第１の実施の形態に係る情報記録装置１のメモリ１１内のプログラムを一部変更したものであり、その他の構成については、第１の実施の形態で示した構成と実質的に同一である。従って、本実施の形態においては、変更したプログラムについてのみ説明し、その他の構成については説明を省略する。また、第１の実施の形態と共通する構成については、第１の実施の形態と同一の符号を付して説明することとする。
【００４７】
本実施の形態に係る情報記録装置のメモリ１１には、図６に示すように、第１の実施の形態で用いられた「保存情報変換プログラム１１ｃ」に代えて、ＨＤ１２から読み出した情報の形式をＦＤ１０に記録するまでの間に変換する「記録情報変換プログラム１１ｈ」が記録されている。制御部１９がこの「記録情報変換プログラム１１ｈ」を実行することにより、ＨＤから読み出したビットマップ形式の情報を、１．４４ＭＢ型フォーマットのＦＤ１０に記録するまでの間にＪＰＥＧ形式の画像情報に変換することができる。この場合、制御部１９は本発明における記録情報変換手段として機能する。
【００４８】
次に、図７を用いて、本実施の形態に係る情報記録装置の「自動フォーマット変換処理」に係る制御動作について説明する。
【００４９】
最初に、ユーザが、情報記録装置のＦＤＤ１５に１．２ＭＢフォーマットのＦＤ１０を挿入し、操作部１７の各種入力キー等を用いて「自動フォーマット変換処理」を実現させるための操作を行うと、かかる操作入力信号を受けた情報記録装置の制御部１９は、「自動フォーマット変換処理」に係る制御を行う。
【００５０】
具体的には、制御部１９は、まずＦＤＤコントローラ１６及びＨＤＤコントローラ１４を制御して、１．２ＭＢ型フォーマットのＦＤ１０に記録したビットマップ形式の画像情報を自動的に読み出し、この読み出した画像情報をＨＤ１２に一時保存する（情報保存工程：Ｓ２１）。次いで、制御部１９は、ＦＤＤコントローラ１６を制御して、１．２ＭＢ型フォーマットのＦＤ１０を自動的に１．４４ＭＢ型で再フォーマットする（初期化工程：Ｓ２２）。
【００５１】
次いで、制御部１９は、ＨＤＤコントローラ１４及びＦＤＤコントローラ１６を制御して、ＨＤ１２に一時保存したビットマップ形式の画像情報を自動的に読み出すとともに、読み出したビットマップ形式の画像情報をＪＰＥＧ形式の画像情報に変換した上で、１．４４ＭＢ型フォーマットのＦＤ１０に記録する（情報変換記録工程：Ｓ２３）。
【００５２】
次いで、制御部１９は、ＦＤ１０内のＪＰＥＧ形式の画像情報を管理するための管理情報ファイル（サムネイル表示用のインデックスファイル）を自動的に作成する（管理情報作成工程：Ｓ２４）。そして、制御部１９は、ＦＤＤコントローラ１６を制御して、作成した管理情報ファイルをＦＤ１０に記録する。この後、制御部１９は、ＨＤＤコントローラ１４を制御して、ＨＤ１２に一時保存したビットマップ形式の画像情報を自動的に消去する（情報消去工程：Ｓ２５）。
【００５３】
以上説明した実施の形態に係る情報記録装置においては、ＨＤ１２に一時保存したビットマップ形式の画像情報を自動的に読み出すとともに、読み出したビットマップ形式の画像情報を自動的にＪＰＥＧ形式の画像情報に変換した上で、１．４４ＭＢ型フォーマットのＦＤ１０に記録することができる。従って、ＨＤ１２内で画像情報の形式を変換する工程（図３：情報変換工程Ｓ３）を省くことができるので、「フォーマット変換処理」に要する時間を一層短縮することができる。
【００５４】
[第４の実施の形態]
次に、図８を用いて、本発明の第４の実施の形態に係る情報記録装置について説明する。本実施の形態に係る情報記録装置１Ａは、第１の実施の形態に係る情報記録装置１に、読出情報変換手段又は記録情報変換手段として機能するハードウェアを追加搭載したものであり、その他の構成については、第１の実施の形態で示した構成と実質的に同一である。従って、本実施の形態においては、追加したハードウェア（データ形式変換ＬＳＩ）についてのみ説明し、その他の構成については説明を省略する。また、第１の実施の形態と共通する構成については、第１の実施の形態と同一の符号を付して説明することとする。
【００５５】
本実施の形態に係る情報記録装置１Ａは、図８に示すように、第１の実施の形態に係る情報記録装置１と同様にメモリ１１〜制御部１９を備えるとともに、データ形式変換ＬＳＩ２０を備えている。データ形式変換ＬＳＩ２０は、ビットマップ形式の情報をＪＰＥＧ形式の情報に変換するハードウェアであり、制御部１９によって制御される。
【００５６】
データ形式変換ＬＳＩ２０により、１．２ＭＢ型フォーマットのＦＤ１０から読み出したビットマップ形式の画像情報を、ＨＤ１２に一時保存するまでの間にＪＰＥＧ形式の画像情報に変換することができる。すなわち、制御部１９が、１．２ＭＢ型フォーマットのＦＤ１０から読み出したビットマップ形式の画像情報を、図８に太線で示すようにデータ形式変換ＬＳＩ２０に入力すると、データ形式変換ＬＳＩ２０は、その画像情報をＪＰＥＧ形式の画像情報に変換して、図８に太線で示すように制御部１９に出力する。制御部１９は、このようにＪＰＥＧ形式に変換された画像情報を、ＨＤ１２に一時保存する。かかる場合、データ形式変換ＬＳＩ２０は本発明における読出情報変換手段として機能する。
【００５７】
また、データ形式変換ＬＳＩ２０により、ＨＤ１２から読み出したビットマップ形式の情報を、１．４４ＭＢ型フォーマットのＦＤ１０に記録するまでの間にＪＰＥＧ形式の画像情報に変換することができる。すなわち、制御部１９が、ＨＤ１２から読み出したビットマップ形式の画像情報を、図８に太線で示すようにデータ形式変換ＬＳＩ２０に入力すると、データ形式変換ＬＳＩ２０は、その画像情報をＪＰＥＧ形式の画像情報に変換して、図８に太線で示すように制御部１９に出力する。制御部１９は、このようにＪＰＥＧ形式に変換された画像情報を、１．４４ＭＢ型フォーマットのＦＤ１０に記録する。かかる場合、データ形式変換ＬＳＩ２０は本発明における記録情報変換手段として機能する。
【００５８】
次に、図９を用いて、本実施の形態に係る情報記録装置１Ａのデータ形式変換ＬＳＩ２０が読出情報変換手段として機能する場合における「自動フォーマット変換処理」に係る制御動作について説明する。
【００５９】
最初に、ユーザが、情報記録装置のＦＤＤ１５に１．２ＭＢフォーマットのＦＤ１０を挿入し、操作部１７の各種入力キー等を用いて「自動フォーマット変換処理」を実現させるための操作を行うと、かかる操作入力信号を受けた情報記録装置の制御部１９は、「自動フォーマット変換処理」に係る制御を行う。
【００６０】
具体的には、制御部１９は、まずＦＤＤコントローラ１６及びＨＤＤコントローラ１４を制御して、１．２ＭＢ型フォーマットのＦＤ１０に記録したビットマップ形式の画像情報を自動的に読み出す（情報読出工程：Ｓ３１）。次いで、制御部１９は、データ形式変換ＬＳＩ２０を用いて、読み出したビットマップ形式の画像情報をＪＰＥＧ形式の画像情報に変換する（読出情報変換工程：Ｓ３２）。そして、制御部１９は、このＪＰＥＧ形式の画像情報をＨＤ１２に一時保存する（情報保存工程：Ｓ３３）。
【００６１】
次いで、制御部１９は、ＦＤＤコントローラ１６を制御して、１．２ＭＢ型フォーマットのＦＤ１０を自動的に１．４４ＭＢ型に再フォーマットする（初期化工程：Ｓ３４）。次いで、制御部１９は、ＨＤＤコントローラ１４及びＦＤＤコントローラ１６を制御して、ＨＤ１２に一時保存したＪＰＥＧ形式の画像情報を自動的に読み出し、この読み出した画像情報を１．４４ＭＢ型フォーマットのＦＤ１０に記録する（情報記録工程：Ｓ３５）。
【００６２】
次いで、制御部１９は、ＦＤ１０内のＪＰＥＧ形式の画像情報を管理するための管理情報ファイル（サムネイル表示用のインデックスファイル）を自動的に作成する（管理情報作成工程：Ｓ３６）。そして、制御部１９は、ＦＤＤコントローラ１６を制御して、作成した管理情報ファイルをＦＤ１０に記録する。この後、制御部１９は、ＨＤＤコントローラ１４を制御して、ＨＤ１２に一時保存したＪＰＥＧ形式の画像情報を自動的に消去する（情報消去工程：Ｓ３７）。
【００６３】
次に、図１０を用いて、本実施の形態に係る情報記録装置１Ａのデータ形式変換ＬＳＩ２０が記録情報変換手段として機能する場合における「自動フォーマット変換処理」に係る制御動作について説明する。
【００６４】
最初に、ユーザが、情報記録装置のＦＤＤ１５に１．２ＭＢフォーマットのＦＤ１０を挿入し、操作部１７の各種入力キー等を用いて「自動フォーマット変換処理」を実現させるための操作を行うと、かかる操作入力信号を受けた情報記録装置の制御部１９は、「自動フォーマット変換処理」に係る制御を行う。
【００６５】
具体的には、制御部１９は、まずＦＤＤコントローラ１６及びＨＤＤコントローラ１４を制御して、１．２ＭＢ型フォーマットのＦＤ１０に記録したビットマップ形式の画像情報を自動的に読み出し、この読み出した画像情報をＨＤ１２に自動的に一時保存する（情報保存工程：Ｓ４１）。次いで、制御部１９は、ＦＤＤコントローラ１６を制御して、１．２ＭＢ型フォーマットのＦＤ１０を自動的に１．４４ＭＢ型に再フォーマットする（初期化工程：Ｓ４２）。
【００６６】
次いで、制御部１９は、ＨＤＤコントローラ１４及びＦＤＤコントローラ１６を制御して、ＨＤ１２に一時保存したビットマップ形式の画像情報を自動的に読み出す（情報読出工程：Ｓ４３）。次いで、制御部１９は、データ形式変換ＬＳＩ２０を用いて、読み出したビットマップ形式の画像情報をＪＰＥＧ形式の画像情報に変換する（記録情報変換工程：Ｓ４４）。そして、制御部１９は、このＪＰＥＧ形式の画像情報を１．４４ＭＢ型フォーマットのＦＤ１０に記録する（情報記録工程：Ｓ４５）。
【００６７】
次いで、制御部１９は、ＦＤ１０内のＪＰＥＧ形式の画像情報を管理するための管理情報ファイル（サムネイル表示用のインデックスファイル）を自動的に作成する（管理情報作成工程：Ｓ４６）。そして、制御部１９は、ＦＤＤコントローラ１６を制御して、作成した管理情報ファイルをＦＤ１０に記録する。この後、制御部１９は、ＨＤＤコントローラ１４を制御して、ＨＤ１２に一時保存したビットマップ形式の画像情報を自動的に消去する（情報消去工程：Ｓ４７）。
【００６８】
以上説明した実施の形態に係る情報記録装置１Ａにおいては、ビットマップ形式の画像情報をＪＰＥＧ形式の画像情報に変換するための専用のハードウェア（データ形式変換ＬＳＩ２０）を備えるため、情報変換用のソフトウェア（保存情報変換プログラム１１ｃ、読出情報変換プログラム１１ｇ、記録情報変換プログラム１１ｈ等）が不要となる。従って、メモリ１１の使用容量を低減することができるとともに、制御部１６の処理速度の向上を図ることができる。また、メモリ１１や制御部１６の小型化が可能となる。
【００６９】
なお、第４の実施の形態においては、情報記録装置１Ａの制御部１９とデータ形式変換ＬＳＩ２０との間でビットマップ形式及びＪＰＥＧ形式の画像情報の入出力を行った例を示したが、データ形式変換ＬＳＩ２０にＨＤＤコントローラ１３及びＦＤＤコントローラ１６を接続し、これらの間で直接的に画像情報の入出力を行ってもよい。
【００７０】
例えば、図１１に太線で示すように、１．２ＭＢ型フォーマットのＦＤ１０に記録したビットマップ形式の画像情報を読み出してデータ形式変換ＬＳＩ２０に入力し、このビットマップ形式の画像情報をデータ形式変換ＬＳＩ２０でＪＰＥＧ形式の画像情報に変換して出力し、この出力したＪＰＥＧ形式の画像情報をＨＤ１２に一時保存してもよい。かかる場合、データ形式変換ＬＳＩ２０は本発明における読出情報変換手段として機能する。
【００７１】
また、図１２に太線で示すように、ＨＤ１２に記録したビットマップ形式の画像情報を読み出してデータ形式変換ＬＳＩ２０に入力し、このビットマップ形式の画像情報をデータ形式変換ＬＳＩ２０でＪＰＥＧ形式の画像情報に変換して出力し、この出力したＪＰＥＧ形式の画像情報を１．４４ＭＢ型フォーマットのＦＤ１０に記録することもできる。かかる場合、データ形式変換ＬＳＩ２０は本発明における記録情報変換手段として機能する。
【００７２】
また、以上の実施の形態においては、本発明に係る情報記録装置の一例として、二つの異なる形式でフォーマット可能なＦＤ１０に「画像情報」を記録する情報記録装置について説明したが、ＦＤ１０に「音声情報」等を記録する場合においても本発明を適用することができるのは勿論である。また、ニ以上の異なる形式で初期化可能な他の記録媒体（ＭＤ、ＣＤ、ＤＶＤ等）に所定の情報を記録する情報記録装置にも、本発明を適用することができる。
【図面の簡単な説明】
【００７３】
【図１】本発明の第１の実施の形態に係る情報記録装置の機能的構成を示すブロック図である。
【図２】本発明の第１の実施の形態に係る情報記録装置のメモリに記録された各種プログラムを示す説明図である。
【図３】本発明の第１の実施の形態に係る情報記録装置による自動フォーマット変換処理を説明するためのフローチャートである。
【図４】本発明の第２の実施の形態に係る情報記録装置のメモリに記録された各種プログラムを示す説明図である。
【図５】本発明の第２の実施の形態に係る情報記録装置による自動フォーマット変換処理を説明するためのフローチャートである。
【図６】本発明の第３の実施の形態に係る情報記録装置のメモリに記録された各種プログラムを示す説明図である。
【図７】本発明の第３の実施の形態に係る情報記録装置による自動フォーマット変換処理を説明するためのフローチャートである。
【図８】本発明の第４の実施の形態に係る情報記録装置の機能的構成を示すブロック図である。
【図９】本発明の第４の実施の形態に係る情報記録装置による自動フォーマット変換処理を説明するためのフローチャートである。
【図１０】同上
【図１１】本発明の第４の実施の形態に係る情報記録装置のデータ形式変換ＬＳＩに対する画像情報の入出力経路を変更した場合のブロック図である。
【図１２】同上
【符号の説明】
【００７４】
１    情報記録装置
１０  ＦＤ（記録媒体）
１２  ＨＤ（情報保存用記録媒体）
１９  制御部（情報保存手段、初期化手段、情報記録手段、保存情報変換手段、読出情報変換手段、記録情報変換手段、情報消去手段）
２０  データ形式変換ＬＳＩ（読出情報変換手段、記録情報変換手段）
【図１】
2005302089.tif 000003
【図２】
2005302089.tif 000004
【図３】
2005302089.tif 000005
【図４】
2005302089.tif 000006
【図５】
2005302089.tif 000007
【図６】
2005302089.tif 000008
【図７】
2005302089.tif 000009
【図８】
2005302089.tif 000010
【図９】
2005302089.tif 000011
【図１０】
2005302089.tif 000012
【図１１】
2005302089.tif 000013
【図１２】
2005302089.tif 000014